(57)【要約】【課題】照明器具よる照明光の光量及び色温度を調整する照明制御装置において、シームレスな一種の操作により照明光の色温度と光量とを独立して調整できるようにする。【解決手段】照明制御装置３は、照明光の光量及び色温度を調整する操作を行うためのタッチパネル４と、ユーザによるタッチパネル４への操作に応じて照明光の光量及び色温度を調整する制御回路とを備える。タッチパネル４は、表面上でのスライド操作が照明光の光量を調整する操作として検出される調光操作用領域４１Ａ、４１Ｂと、表面上でのスライド操作が照明光の色温度を調整する操作として検出される調色操作用領域４２とを有する。調光操作用領域４１Ａ、４１Ｂ及び調色操作用領域４２は互いに繋がっている。それにより、調光操作用領域４１Ａ又は調光操作用領域４１Ｂと調色操作用領域４２とを跨いだシームレスなスライド操作により照明光の色温度と光量とを独立して調整できる。【選択図】図３
2014002942.tif 000002
【特許請求の範囲】
【請求項１】
照明器具から放射される照明光の光量及び色温度を調整する照明制御装置において、
前記照明光の光量及び色温度を調整する操作を行うためのタッチパネルと、
ユーザによる前記タッチパネルへの操作を検出し、その検出した操作に応じて前記照明光の光量及び色温度を調整する調整回路と、を備え、
前記タッチパネルは、前記調整回路によりその表面上でのスライド操作が前記照明光の光量を増加又は減少させる操作として検出される第１の接触検出領域と、前記調整回路によりその表面上でのスライド操作が前記照明光の色温度を上昇又は低下させる操作として検出される第２の接触検出領域と、を有し、
前記第１の接触検出領域及び前記第２の接触検出領域は、互いに繋がっていることを特徴とする照明制御装置。
【請求項２】
前記調整回路は、前記第１の接触検出領域での直線操作を、前記照明光の光量及び色温度のうちのいずれか一方を調整する操作として検出し、前記第２の接触検出領域での回転操作を、前記照明光の光量及び色温度のうちのいずれか他方を調整する操作として検出することを特徴とする請求項１に記載の照明制御装置。
【請求項３】
前記タッチパネル及び前記調整回路を収容するケースを備え、
前記ケースは、その表面に窪み部を有し、
前記タッチパネルは、前記窪み部に配置されていることを特徴とする請求項１又は請求項２に記載の照明制御装置。
【発明の詳細な説明】
【技術分野】
【０００１】
本発明は、ユーザ操作に基づいて照明器具による照明光の光量及び色温度を調整する照明制御装置に関する。
【背景技術】
【０００２】
従来から、照明器具から放射される照明光の光量及び色温度を調整する操作を行うためのタッチパッドを備えた照明制御装置が知られている。この照明制御装置は、ユーザが指でタッチパッドに触れながら、タッチパッドの縁に沿って時計方向又は反時計方向に指と移動させると、タッチパッドの中心に対する指の回転角に応じて照明光の色温度を調整する。また、この照明制御装置は、指によるタッチパッドへの押し圧に応じて照明光の光量を調整する（例えば、特許文献１参照）。この照明制御装置においては、シームレスな操作により照明光の色温度と光量とを独立して制御することができる。
【先行技術文献】
【特許文献】
【０００３】
【特許文献１】特開２０１１−９０８５５号公報
【発明の概要】
【発明が解決しようとする課題】
【０００４】
しかしながら、上記照明制御装置においては、光量及び色温度の両方を調整するためには、指をタッチパッド上で回転させる操作と、指でタッチパッドを押す操作とから成る２種の操作が必要になる。特に、光量はタッチパッドへの押し圧によって調整されるので、不慣れなユーザとってはその調整が難しい。しかも、タッチパッドの押し圧が強くなり過ぎると、タッチパッドが機械的な損傷を受けることがあり、その耐久性が低下する虞もある。
【０００５】
本発明は、上記の問題を解決するためになされたものであり、シームレスな一種の操作により照明光の色温度と光量とを独立して調整することができ、操作が簡単で、しかも、耐久性に優れた照明制御装置を提供することを目的とする。
【課題を解決するための手段】
【０００６】
上記目的を達成するために本発明の照明制御装置は、照明器具から放射される照明光の光量及び色温度を調整する照明制御装置において、前記照明光の光量及び色温度を調整する操作を行うためのタッチパネルと、ユーザによる前記タッチパネルへの操作を検出し、その検出した操作に応じて前記照明光の光量及び色温度を調整する調整回路と、を備え、前記タッチパネルは、前記調整回路によりその表面上でのスライド操作が前記照明光の光量を増加又は減少させる操作として検出される第１の接触検出領域と、前記調整回路によりその表面上でのスライド操作が前記照明光の色温度を上昇又は低下させる操作として検出される第２の接触検出領域と、を有し、前記第１の接触検出領域及び前記第２の接触検出領域は、互いに繋がっていることを特徴とする。
【０００７】
前記調整回路は、前記第１の接触検出領域での直線操作を、前記照明光の光量及び色温度のうちのいずれか一方を調整する操作として検出し、前記第２の接触検出領域での回転操作を、前記照明光の光量及び色温度のうちのいずれか他方を調整する操作として検出することが好ましい。
【０００８】
前記タッチパネル及び前記調整回路を収容するケースを備え、前記ケースは、その表面に窪み部を有し、前記タッチパネルは、前記窪み部に配置されていることが好ましい。
【発明の効果】
【０００９】
本発明によれば、タッチパネル上の第１の接触検出領域と第２の接触検出領域とを跨いだシームレスなスライド操作により照明光の色温度と光量とを独立して調整することができる。しかも、調整に必要なスライド操作が与える機械的な影響は、例えば押下げ操作と比べて少なく、耐久性が高くなる。
【図面の簡単な説明】
【００１０】
【図１】（ａ）は本発明の一実施形態に係る照明制御装置を備えた照明システムの施行例を示す一点透視図、（ｂ）はその照明システムの構成を示す電気的ブロック図。
【図２】上記照明制御装置の構成を示す電気的ブロック図。
【図３】上記照明制御装置の正面図。
【図４】（ａ）〜（ｄ）は上記照明制御装置のタッチパネルへの４つの操作例を示す正面図。
【図５】上記照明制御装置の上記とは別の操作例を説明するための正面図。
【図６】（ａ）は上記実施形態の第１の変形例に係る照明制御装置の正面図、（ｂ）は（ａ）のＡ−Ａ線断面図。
【図７】（ａ）は上記実施形態の第２の変形例に係る照明制御装置の正面図、（ｂ）はその側面図。
【発明を実施するための形態】
【００１１】
本発明の一実施形態に係る照明制御装置について図面を参照して説明する。図１（ａ）（ｂ）は、本実施形態の照明制御装置を備えた照明システムの構成を示す。この照明システム１００は、照明器具１Ａ〜１Ｄ（以下、照明器具１と総称）と、照明器具１に信号線２を介して接続され、照明器具１を制御する本実施形態の照明制御装置３とを備える。照明器具１は、照明光の光量及び色温度を調整可能な構成である。照明器具１は、図示された数に限定されない。照明制御装置３は、照明器具１から放射される照明光（以下、単に照明光という）の光量及び色温度を、ユーザ操作に基づいて調整する。照明制御装置３は、例えば、壁面Ｗ１に埋め込まれる埋込み型の照明操作器に適用される。
【００１２】
図２は、照明制御装置の電気的な構成を示す。照明制御装置３は、照明光の光量及び色温度を調整する操作を行うためのタッチパネル４と、ユーザによるタッチパネル４への接触操作を検出し、その検出した接触操作に応じて照明光の光量及び色温度を調整する制御回路５（調整回路）と、送信回路６とを備える。制御回路５は、制御回路５は、ユーザがタッチパネル４に接触すると、その接触と接触位置の座標とを検出する。そして、接触状態でのスライド操作により接触位置が移動すると、制御回路５は、その接触位置の座標変化に基づいて接触位置の移動方向及び移動軌跡を検知し、それにより、スライド操作を検出する。制御回路５は、その検出した操作内容に従って照明光の光量及び色温度を調整する。制御回路５は、その調整内容を示す調光調色信号を生成し、送信回路６は、その生成された制御信号を照明器具１（図１参照）に送信する。
【００１３】
図３は、タッチパネル４の構成を示す。タッチパネル４は、タッチパネル４、制御回路５及び送信回路６（図２参照）を収容するケース７の前面７１に露出するように配置されている。タッチパネル４は、調光操作用領域４１Ａ、４１Ｂ（第１の接触検出領域）と、調色操作用領域４２（第２の接触検出領域）とを有する。各調光操作用領域４１Ａ、４１Ｂは、その表面上でのスライド操作Ｓ１が照明光の光量を増加又は減少させる操作として検出される。調色操作用領域４２は、その表面上でのスライド操作Ｓ２が照明光の色温度を上昇又は低下させる操作として検出される。
【００１４】
調色操作用領域４２は、略円状であり、調光操作用領域４１Ａ、４１Ｂは、調色操作用領域４２から互いに逆方向に突出した縦長の略長方形状であり、調光操作用領域４１Ａ、４１Ｂと調色操作用領域４２とは、互いに連続し、繋がっている。調光操作用領域４１Ａ、４１Ｂは、調色操作用領域４２の中心を通る直線状に配置されており、デザイン性を考慮して、その先端部の角が丸みを帯びている。調光操作用領域４１Ａ、４１Ｂ及び調色操作用領域４２の形状は上記に限定されない。
【００１５】
図２に示す制御回路５の調光調色処理について図３を参照して説明する。制御回路５は、調光操作用領域４１Ａ、４１Ｂでの直線状のスライド操作Ｓ１（以下、直線操作という）を、照明光の光量を調整する操作として検出し、照明光を調光する。制御回路５は、調光操作用領域４１Ａ上で、調色操作用領域４２側の端部（下部）から先端部（上部）に向けた直線操作がなされると、照明光の光量を上昇させ、調光操作用領域４１Ａ上で、それとは反対方向の直線操作がなされると、照明光の光量を低下させる。制御回路５は、調光操作用領域４１Ｂ上で、先端部（下部）から調色操作用領域４２側の端部（上部）に向けた直線操作がなされると、照明光の光量を増加させ、調光操作用領域４１Ｂ上で、それとは反対方向の直線操作がなされると、照明光の光量を減少させる。これらの直線操作においては、スライド長が長くなるほど、制御回路５は、光量の調整量を多くする。
【００１６】
また、制御回路５は、調色操作用領域４２での回転状のスライド操作Ｓ２（以下、回転操作という）を、照明光の色温度を調整する操作として検出し、照明光を調色する。制御回路５は、調色操作用領域４２上で、右回りの回転操作がなされると、照明光の色温度を上昇させ、調色操作用領域４２上で、それとは反対方向の回転操作がなされると、照明光の色温度を低下させる。これらの回転操作においては、調色操作用領域４２の略中央を中心とした回転角が大きくなるほど、制御回路５は、色温度の調整量を多くする。
【００１７】
図４（ａ）〜（ｄ）は、４つの調光調色操作パターンを示す。図４（ａ）に示されるように、調光操作用領域４１Ｂ上で、その先端部（下部）から調色操作用領域４２側の端部（上部）に向けて指で直線操作Ｓ１１をしたとする。そして、指をタッチパネル４に接触したまま、調色操作用領域４２に進入させ、そこで、右回り（時計回り）の回転操作Ｓ２１をしたとする。その場合、これら直線操作Ｓ１１及び回転操作Ｓ２１から成る一連のシームレスな操作により、照明光の光量は増加し、その色温度は上昇する。
【００１８】
図４（ｂ）に示されるように、調光操作用領域４１Ｂ上で、上記図４（ａ）と同様の直線操作Ｓ１１をし、指をタッチパネル４に接触したまま、調色操作用領域４２に進入させ、そこで左回り（反時計回り）の回転操作Ｓ２２をしたとする。その場合、これら直線操作Ｓ１１及び回転操作Ｓ２２から成る一連のシームレスな操作により、照明光の光量は増加し、その色温度は低下する。
【００１９】
図４（ｃ）に示されるように、調光操作用領域４１Ａ上で、その先端部（上部）から調色操作用領域４２側の端部（下部）に向けて指で直線操作Ｓ１２をしたとする。そして、指をタッチパネル４に接触したまま、調色操作用領域４２に進入させ、そこで右回りの回転操作Ｓ２３をしたとする。その場合、これら直線操作Ｓ１２及び回転操作Ｓ２３から成る一連のシームレスな操作により、照明光の光量は減少し、その色温度は上昇する。
【００２０】
図４（ｄ）に示されるように、調光操作用領域４１Ａ上で、上記図４（ｃ）と同様の直線操作Ｓ１２をし、指をタッチパネル４に接触したまま、調色操作用領域４２に進入させ、そこで左回りの回転操作Ｓ２４をしたとする。その場合、これら直線操作Ｓ１２及び回転操作Ｓ２４から成る一連のシームレスな操作により、照明光の光量は減少し、その色温度は低下する。
【００２１】
図２に示す制御回路５の点灯消灯制御処理について図５を参照して説明する。図５に示す調光操作用領域４１Ａの先端部４１ａ上で、シングルタップ操作がなされるとき、制御回路５は、照明器具１を全灯させる。全灯とは定格最大光量での点灯のことである。一方、調光操作用領域４１Ｂの先端部４１ｂ上で、シングルタップ操作がなされるとき、制御回路５は、照明器具１を消灯する。
【００２２】
また、調色操作用領域４２の中心部４２ａ上で、シングルタップ操作がなされるとき、制御回路５は、照明光の光量を予め設定された設定光量とする。中心部４２ａ上でダブルタップ操作がなされるとき、制御回路５は、照明光の光量及び色温度を予め設定された設定光量及び設定色温度とする。中心部４２ａ上でロングタップ操作がなされるとき、制御回路５は、照明光の色温度を予め設定された設定色温度とする。上記設定光量は、例えば、各照明器具１の定格最大光量の８０［％］程度の光量又は前回の消灯前の光量であり、上記設定色温度は、例えば、白色に近い５０００［Ｋ］程度の色温度又は前回の消灯前の色温度である。制御回路５は、上記設定光量及び設定色温度の情報をメモリ（不図示）に記憶しており、適宜、メモリから読み出す。
【００２３】
本実施形態によれば、タッチパネル４上の調光操作用領域４１Ａ又は調光操作用領域４１Ｂと調色操作用領域４２とを跨いだシームレスなスライド操作（図４（ａ）〜（ｄ）参照）により、照明光の色温度と光量とを独立して調整することができる。従って、操作が簡単になる。しかも、調整に必要なスライド操作が与える機械的な影響は、例えば押下げ操作と比べて少なく、耐久性が高くなる。
【００２４】
また、とりあえず照明器具１を点灯又は消灯させたい場合、タッチパネル４の先端部４１ａ又は先端部４１ｂ上でシングルタップ操作をするだけで、照明器具１を素早く点灯又は消灯することができる。
【００２５】
次に、上記実施形態の各種変形例に係る照明制御装置について説明する。
（第１の変形例）
図６（ａ）（ｂ）は、第１の変形例の照明制御装置の構成を示す。本変形例の照明制御装置３において、ケース７は、その前面７１（表面）に窪み部７２を有し、タッチパネル４は、窪み部７２内に配置されている。窪み部７２は、その正面視での形状及び大きさが、タッチパネル４の形状及び大きさと略等しい。
【００２６】
本変形例においては、タッチパネル４の操作中に、指をタッチパネル４の外側に誤って移動させそうになっても、指が窪み部７２の内壁に当たるので、その移動を防ぐことができる。
【００２７】
（第２の変形例）
図７（ａ）（ｂ）は、第２の変形例に係る照明制御装置の構成を示す。本変形例の照明制御装置３において、ケース７は、その前面７１に突出部７３を有し、突出部７３は、タッチパネル４に周縁に沿うように形成されている。
【００２８】
本変形例においては、突出部７３により、上記第１の変形例と同等の効果を得ることができる。また、ケース７の前面７１の一部が突出部７３の形成により出っ張るので、この照明制御装置３を屋内照明の調光調色スイッチとして用いた場合、その屋内におけるタッチパネル４の存在感が大きくなる。そのため、本変形例は、例えば、公共施設等、スイッチの位置が分かり易いことが好まれる設置環境に適したものになる。一方、上述した第１の変形例は、例えば、店舗又は個人住宅のリビング等、スイッチ自体が目立たないことが好まれる設置環境に適したものになる。
【００２９】
なお、本発明は、上記の実施形態及び各変形例の構成に限定されるものでなく、使用目的に応じ、様々な変形が可能である。例えば、調光操作用領域４１Ａ、４１Ｂが調色操作に用いられ、制御回路５がその領域での直線操作を、照明光の色温度を調整する操作として検出してもよい。その場合、調色操作用領域４２が調光操作に用いられ、制御回路５がその領域での回転操作を、照明光の色温度を調整する操作として検出する。
【符号の説明】
【００３０】
１  照明器具
３  照明制御装置
４  タッチパネル
４１Ａ、４１Ｂ  調光操作用領域（第１の接触検出領域）
４２  調色操作用領域（第２の接触検出領域）
５  制御回路（調整回路）
７  ケース
７２  窪み部
【図１】
2014002942.tif 000003
【図２】
2014002942.tif 000004
【図３】
2014002942.tif 000005
【図４】
2014002942.tif 000006
【図５】
2014002942.tif 000007
【図６】
2014002942.tif 000008
【図７】
2014002942.tif 000009